(57)【要約】      （修正有）【課題】開封が容易な包装材を提供する。【解決手段】本発明の包装材１００は、被包装物を包装する包装フィルム１０と、包装フィルムに貼り付けられたラベル２０と、を含み、包装フィルムは所定の方向に沿って切り裂き可能に構成され、ラベルは、包装フィルムを切り裂いたときに包装フィルムの裂け目と交差する縁部に凹部３０を有するとともに、凹部に所定の方向に沿って延びる切り込み３１を有する。【選択図】図１
2019104519.tif 000002
【特許請求の範囲】
【請求項１】
被包装物を包装する包装フィルムと、前記包装フィルムに貼り付けられたラベルと、を含み、
前記包装フィルムは所定の方向に沿って切り裂き可能に構成され、
前記ラベルは、前記包装フィルムを切り裂いたときに前記包装フィルムの裂け目と交差する縁部に凹部を有するとともに、前記凹部に前記所定の方向に沿って延びる切り込みを有する、包装材。
【請求項２】
前記ラベルは、前記縁部に交互に形成された複数の前記凹部と凸部とを有し、前記複数の凹部のそれぞれに前記切り込みを有する、請求項１に記載の包装材。
【請求項３】
前記切り込みは、前記凹部の頂点から前記所定の方向に沿って延びている、請求項１または２に記載の包装材。
【請求項４】
前記包装フィルムは、端部がシールされて袋状に形成されており、シールされた前記端部に切り欠き部を有し、前記切り欠き部を起点にして前記端部が延びる方向に直交する方向に沿って切り裂き可能に構成されている、請求項１から３のいずれかに記載の包装材。
【請求項５】
前記包装フィルムの内側に配置された開封テープをさらに有し、
前記包装フィルムは、前記開封テープの端部を引っ張ることにより前記開封テープの長手方向に沿って切り裂き可能に構成されている、請求項１から３のいずれかに記載の包装材。
【発明の詳細な説明】
【技術分野】
【０００１】
本発明は、包装材に関する。
【背景技術】
【０００２】
従来から、市販のおにぎりや菓子等は、包装フィルムで包装され、包装フィルムに商品の情報を表示するラベルを貼り付けられた状態で販売されている。このような商品は、包装フィルムを切り裂いて開封する際にラベルが裂け目の進行を阻害し、開封が困難になる場合がある。そこで、縁部に凹部と凸部とを形成することにより容易に切り裂くことができるラベルが提案されている（特許文献１）。しかしながら、包装フィルムに上記のようなラベルを貼り付けた場合であっても開封が困難になる場合があり、包装材の開封性のさらなる改善が求められている。
【先行技術文献】
【特許文献】
【０００３】
【特許文献１】特開２００１−１８８４７３号公報
【発明の概要】
【発明が解決しようとする課題】
【０００４】
本発明は上記従来の課題を解決するためになされたものであり、その主たる目的は、開封が容易な包装材を提供することにある。
【課題を解決するための手段】
【０００５】
本発明の包装材は、被包装物を包装する包装フィルムと、上記包装フィルムに貼り付けられたラベルと、を含み、上記包装フィルムは所定の方向に沿って切り裂き可能に構成され、上記ラベルは、上記包装フィルムを切り裂いたときに上記包装フィルムの裂け目と交差する縁部に凹部を有するとともに、上記凹部に上記所定の方向に沿って延びる切り込みを有する。
１つの実施形態においては、上記ラベルは、上記縁部に交互に形成された複数の上記凹部と凸部とを有し、上記複数の凹部のそれぞれに上記切り込みを有する。
１つの実施形態においては、上記切り込みは、上記凹部の頂点から上記所定の方向に沿って延びている。
１つの実施形態においては、上記包装フィルムは、端部がシールされて袋状に形成されており、シールされた上記端部に切り欠き部を有し、上記切り欠き部を起点にして上記端部が延びる方向に直交する方向に沿って切り裂き可能に構成されている。
１つの実施形態においては、上記包装フィルムの内側に配置された開封テープをさらに有し、上記包装フィルムは、上記開封テープの端部を引っ張ることにより上記開封テープの長手方向に沿って切り裂き可能に構成されている。
【発明の効果】
【０００６】
本発明によれば、ラベルが包装フィルムの裂け目と交差する縁部に凹部を有するとともに、凹部に所定の方向に沿って延びる切り込みを有することにより、開封が容易な包装材を実現することができる。
【図面の簡単な説明】
【０００７】
【図１】本発明の１つの実施形態による包装材の概略正面図である。
【図２】本発明の１つの実施形態による包装材の一部の拡大図である。
【図３】本発明の別の実施形態による包装材の一部の拡大図である。
【図４】本発明の別の実施形態による包装材の概略正面図である。
【図５】本発明の別の実施形態による包装材の概略背面図である。
【発明を実施するための形態】
【０００８】
以下、本発明の実施形態について説明するが、本発明はこれらの実施形態には限定されない。
【０００９】
Ａ．包装材
図１は本発明の１つの実施形態による包装材１００の概略正面図であり、図２は包装材１００の一部の拡大図である。包装材１００は、被包装物を包装する包装フィルム１０と、包装フィルム１０に貼り付けられたラベル２０と、を含む。包装フィルム１０は、所定の方向に沿って切り裂き可能に構成されている。ラベル２０は、包装フィルム１０を切り裂いたときに包装フィルム１０の裂け目と交差する縁部に凹部３０を有する。ラベル２０は、さらに、凹部３０に上記所定の方向（包装フィルム１０の切り裂き方向）に沿って延びる切り込み３１を有する。ラベル２０は、好ましくは、縁部に交互に形成された複数の凹部３０と凸部４０とを有し、複数の凹部３０のそれぞれに切り込み３１を有する。図１および図２に示す例では、ラベル２０の凹部３０はＶ字形状であり、凹部３０と凸部４０とにより、ラベル２０の縁部はジグザグ形状である。切り込み３１は、凹部３０の内部から上記所定の方向に沿って延びていればよいが、好ましくは、凹部３０の頂点から延びている。包装材１００は、凹部３０が切り込み３１を有することにより、包装フィルム１０を切り裂いたときにラベル２０も切り込み３１に沿って切り裂かれ得、その結果、容易に開封され得る。さらに、図２に示すように、破線で示す包装フィルムの裂け目が、切り込み３１の位置に対してずれてラベル２０の縁部と交差する場合であっても、凹部３０によって裂け目が誘導され、切り裂き応力が凹部３０内に形成された切り込み３１に集中することにより、切り込み３１に沿ってラベル２０が切り裂かれ得る。図１および２に示す例では、凹部はＶ字形状であるが、凹部の形状はこれに限定されない。図３は、本発明の別の実施形態による包装材の一部の拡大図である。図３に示す例では、ラベル２０ａの凹部３０ａはＵ字形状であり、凹部３０ａと凸部４０ａとにより、ラベル２０ａの縁部は波線形状である。図３に示す実施形態においても同様に、破線で示す包装フィルムの裂け目が、切り込み３１の位置に対してずれてラベル２０ａの縁部と交差する場合であっても、凹部３０ａによって裂け目が誘導され、切り裂き応力が凹部３０ａ内に形成された切り込み３１に集中することにより、切り込み３１に沿ってラベル２０が切り裂かれ得る。
【００１０】
１つの実施形態においては、図１に示すように、包装フィルム１０は、端部１１がシールされ、内部に被包装物を収容可能な袋状に形成されている。この場合、包装フィルム１０は、好ましくは、シールされた端部１１に切り欠き部１２を有し、切り欠き部１２を起点にして、端部１１が延びる方向に直交する方向（図中のＸ方向）に沿って切り裂き可能に構成されている。
【００１１】
図４は本発明の別の実施形態による包装材１０１の概略正面図であり、図５は包装材１０１の概略背面図である。包装材１０１は、包装フィルム１０の内側に配置された開封テープ５０を有する。包装フィルム１０は、開封テープ５０の端部を引っ張ることにより開封テープ５０の長手方向に沿って切り裂き可能に構成されている。図示例の包装材１０１においては、包装フィルム１０は、被包装物を包むようにして折り込まれることにより被包装物を包装している。包装材１０１は、代表的には、略三角形状のおにぎりを包装する包装材である。図示例のタイプの包装フィルム１０においては、開封テープ５０は、前面を上端から下端にかけて縦断し、底部を跨いで、背面を下端から上端にかけて縦断するように配置されている。包装フィルム１０は、開封テープ５０の端部を引っ張ることにより、前面を上端から下端に切り裂かれ得、背面を下端から上端に切り裂かれ得る。１つの実施形態においては、包装材１０１は、前面にラベル２０を有し、背面にラベル２０Ａを有する。ラベル２０は、包装フィルム１０を切り裂いたときに包装フィルム１０の裂け目と交差する縁部に凹部３０を有し、ラベル２０Ａも同様に凹部３０Ａを有する。すなわち、代表的には、ラベル２０は上端の縁部に凹部３０を有し、ラベル２０Ａは下端の縁部に凹部３０Ａを有する。さらに、図１および２を参照して説明したように、ラベル２０、２０Ａは凹部３０、３０Ａに、包装フィルム１０の切り裂き方向に沿って延びる切り込み３１、３１Ａを有する。これにより、包装材１０１は、開封テープ５０の端部を引っ張ることにより、包装フィルム１０とともにラベル２０、２０Ａも容易に切り裂かれ得、容易に開封され得る。なお、図４および５に示す例では、凹部３０、３０ＡはＶ字形状であるが、図３に示すようなＵ字形状であってもよい。
【００１２】
Ｂ．包装フィルム
包装フィルムは、上記のとおり、被包装物を包装し、所定の方向に切り裂き可能に構成されている。包装フィルムによる包装態様は特に限定されず、密閉包装に限定されるものではない。被包装物としては、例えば、おにぎり、菓子などの食品が挙げられる。
【００１３】
１つの実施形態においては、図１に示すように、包装フィルムは袋状に形成されている。この場合、包装フィルムが構成する袋のタイプは特に限定されないが、例えば、合掌袋、ガゼット袋、三方袋が挙げられる。この場合、包装フィルムは、代表的には、端部を重ねた状態でヒートシールされており、好ましくはシール部に切り欠き部を有する。切り欠き部は、端部に形成されたギザ歯形状または波型形状であってもよいし、Ｖ字形状やI字形状などの切り欠きであってもよい。これにより、袋状に形成された包装フィルムは、切り欠き部を起点にして、端部が延びる方向に直交する方向（図中のＸ方向）に沿って切り裂かれ得る。
【００１４】
別の実施形態においては、図４および５に示すように、包装フィルムは被包装物を包むようにして折り込まれている。この場合、代表的には、包装フィルムの端部にラベルを貼り付けることにより、包装フィルムが開かないように止着されている。本実施形態の包装材においては、包装フィルムは、開封テープの端部を引っ張ることにより、開封テープの長手方向（開封テープが延びる方向）に沿って切り裂かれ得る。
【００１５】
包装フィルムを構成する材料としては、任意の適切な樹脂フィルムが用いられる。好ましくは、透明樹脂フィルムが用いられる。樹脂フィルムを形成する樹脂としては、例えば、ポリスチレン、ポリプロピレン等が挙げられる。上記樹脂フィルムは延伸フィルムであってもよい。樹脂フィルムが延伸フィルムである場合、好ましくは、包装フィルムの切り裂き可能な方向と延伸フィルムの延伸方向とは互いに平行である。これにより、包装フィルムは、開封時に切り裂き方向に沿って容易に切り裂かれ得る。開封テープを構成する材料としては、任意の適切な樹脂フィルムが用いられ、包装フィルムの構成材料と同じでもよいし、異なっていてもよい。開封テープは、開封時に切断されないよう、好ましくは、包装フィルムよりも強度を有する材料および厚みで構成されている。
【００１６】
Ｃ．ラベル
ラベルは、代表的には、被包装物に関する情報を表示する目的で包装フィルムに貼り付けられており、上記情報が記載されている。被包装物に関する情報としては、被包装物である商品の名称、製造者、原材料名、製造年月日、バーコード等が挙げられる。また、図４および５に示す実施形態の包装材においては、ラベルは包装フィルムを止着する機能を有し得る。
【００１７】
図示例においては、ラベルは略矩形状であり、包装フィルムを切り裂いたときに包装フィルムの裂け目と最初に交差する一辺に凹部および切り込みを有するが、ラベルの外形、並びに凹部および切り込みの位置はこれに限定されない。ラベルの外形は、三角形や円形であってもよい。さらに、凹部および切り込みは、ラベルの一辺の一部に形成されていてもよいし、ラベルの全周に渡って形成されていてもよい。さらに、図１に示す実施形態においては、ラベルのＸ方向に略直交する両端辺に形成されていてもよい。これにより、包装フィルムにおけるシールされた両方の端部のうち、いずれの端部から切り裂いた場合であっても、ラベルごと容易に切り裂くことができる。
【００１８】
凹部の形状は、代表的には、図２に示すようなＶ字形状または図３に示すようなＵ字形状である。凹部の長さ（深さ）は、例えば、０．１ｍｍ〜２ｍｍである。凹部の幅は、例えば、０．１ｍｍ〜２ｍｍである。
【００１９】
切り込みは、好ましくは、包装フィルムが切り裂かれる方向と平行な方向に延びている。すなわち、図１に示すように、包装フィルムが、端部が延びる方向に直交する方向（Ｘ方向）に沿って切り裂き可能に構成されている場合には、切り込みは当該方向と平行な方向に延びており、図４および５に示すように、包装フィルムが、開封テープの長手方向に沿って切り裂き裂き可能に構成されている場合には、切り込みは当該方向と平行な方向に延びている。
【００２０】
切り込みの長さは、ラベルの大きさおよび厚みなどに応じて適切に設定され得る。切り込みの長さは、例えば、０．５ｍｍ〜５ｍｍである。切り込みの長さが長いほど、開封時により容易にラベルを切り裂くことができ、切り込みの長さが短いほど被包装物に関する情報を表示する領域をより広く確保することができる。
【００２１】
ラベルは、代表的には、基材と、基材上に形成された粘着剤層と、基材の粘着剤層とは反対側に配置された感熱性発色層とを含み、粘着剤層を介して包装フィルムに貼り付けられる。基材は、紙、または樹脂フィルムである。感熱性発色層には、被包装物に関する情報が印字される。
【産業上の利用可能性】
【００２２】
本発明の包装材は、食品等の包装に好適に用いられる。
【符号の説明】
【００２３】
１０                      包装フィルム
２０，２０ａ，２０Ａ      ラベル
３０，３０ａ，３０Ａ      凹部
３１，３１Ａ              切り込み
５０                      開封テープ
１００，１０１            包装材
【図１】
2019104519.tif 000003
【図２】
2019104519.tif 000004
【図３】
2019104519.tif 000005
【図４】
2019104519.tif 000006
【図５】
2019104519.tif 000007